(57)【要約】【課題】指針による表示時刻の修正を行う場合に、煩雑な操作を行うことなく時刻修正を行うことができる電波修正時計を提供する。【解決手段】標準時刻電波信号を受信する標準電波受信系１１と、少なくとも分針と連動する分針車１２６、および時針と連動する時針車１２８を駆動する輪列および駆動用モータ１２１と、手動により分針位置および時針位置を修正する手動修正系１５０と、時針位置に応じた時針車に連動した時打車の回転角度に基づいて、時針位置情報を生成する時針位置情報生成部１８と、駆動用モータ１２１または手動修正系１５０により分針が正時位置に設定された状態で、時針位置情報生成部１８が生成した時針位置情報、および標準電波受信系１１が受信した標準電波信号に基づいて、駆動用モータ１２１に指針を早送り駆動して時刻修正を行わせる制御回路１４とを設ける。【選択図】図１
2005098881.tif 000002
【特許請求の範囲】
【請求項１】
分針および時針を有し、少なくとも前記分針を任意の位置に設定可能な電波修正時計であって、
標準時刻電波信号を受信する標準電波受信手段と、
前記分針および前記時針を連動して駆動する駆動手段と、
時針位置情報のみを生成する時針位置情報生成手段と、
前記分針が正時位置に設定された状態で、前記時針位置情報生成手段が生成した時針位置情報および前記標準電波受信手段が受信した標準時刻電波信号に基づいて、前記駆動手段に前記分針および前記時針を早送り駆動して時刻修正を行わせる制御手段と
を有する電波修正時計。
【請求項２】
前記時針位置情報生成手段は、前記時針と連動して回転する歯車と、
前記歯車の回転角度に基づいて、前記時針位置情報を生成する回転角度検出手段とを含み、
前記制御手段は、前記回転角度検出手段が生成した時針位置情報、および前記標準時刻電波信号に基づいて、前記駆動手段に前記分針および前記時針を早送り駆動して時刻修正を行わせる
請求項１に記載の電波修正時計。
【請求項３】
前記回転角度検出手段は、前記歯車の回転角度に応じた検出パターンを形成可能な検出基板を含み、前記検出した検出パターンに基づいて前記時針位置情報を生成する
請求項２に記載の電波修正時計。
【請求項４】
前記分針の正時位置を検出する分針位置検出手段を含み、
前記制御手段は、前記分針位置検出手段が前記正時位置を検出した場合に、前記時針位置検出手段が検出した時針位置情報、および前記標準時刻電波信号に基づいて、前記駆動手段に前記指針を早送り駆動して時刻修正を行わせる
請求項１から請求項３のいずれか一に記載の電波修正時計。
【発明の詳細な説明】
【技術分野】
【０００１】
本発明は、例えば指針を原点位置に設定し、標準時刻電波信号に基づいて、前記指針を原点位置から標準時刻まで駆動させて、時刻修正を行う電波修正時計に関するものである。
【背景技術】
【０００２】
従来、標準時刻電波信号を受信して、指針による表示時刻の修正を行う電波修正時計が知られている。
例えば、指針による時刻表示を行う電波修正時計において、指針の駆動制御を行う制御回路では、時刻修正を行う際に、指針位置に関する情報を必要とする。
【０００３】
例えば、指針位置検出用の透過孔や遮光部を設けた輪列と、この透過部および遮光部による光の透過および遮光を示すパターンを検出する光センサおよび発光素子とが設けられ、そのパターンを基に指針位置を検出し、標準時刻電波信号を基に時刻修正を行う電波修正時計が知られている。
【０００４】
また、手動により指針位置を修正可能で、指針が示す時刻情報を指針時刻入力手段から入力し、その入力された指針時刻情報および標準時刻電波信号に基づいて時刻修正を行う電波修正時計が知られている（例えば特許文献１参照）。
【特許文献１】特開２００１−３０５２４８号公報
【発明の開示】
【発明が解決しようとする課題】
【０００５】
しかし、上述した輪列および光センサ等が設けられた電波修正時計では、光検出を行う光センサや、遮光部および透過光が形成された輪列を設ける必要がありコストがかかる。
【０００６】
また、特許文献１に示した電波修正時計において、ユーザは指針時刻入力手段を操作して、指針が示す時刻情報を入力するという煩雑な操作を行う必要があり、改善が望まれている。
【０００７】
本発明は、かかる事情に鑑みてなされたものであり、その目的は、指針による表示時刻の修正を行う場合に、煩雑な操作を行うことなく時刻修正を行うことができる電波修正時計を提供することにある。
【課題を解決するための手段】
【０００８】
前記目的を達成するために、本発明の観点は、分針および時針を有し、少なくとも前記分針を任意の位置に設定可能な電波修正時計であって、標準時刻電波信号を受信する標準電波受信手段と、前記分針および前記時針を連動して駆動する駆動手段と、時針位置情報のみを生成する時針位置情報生成手段と、前記分針が正時位置に設定された状態で、前記時針位置情報生成手段が生成した時針位置情報および前記標準電波受信手段が受信した標準時刻電波信号に基づいて、前記駆動手段に前記分針および前記時針を早送り駆動して時刻修正を行わせる制御手段とを有する。
【０００９】
本発明によれば、標準電波受信手段では、標準時刻電波信号を受信する。
駆動手段では、分針および時針を連動して駆動する。
時針位置情報生成手段では、時針位置情報のみを生成する。
制御手段では、分針が正時位置に設定された状態で、時針位置情報生成手段が生成した時針位置情報および標準電波受信手段が受信した標準時刻電波信号に基づいて、駆動手段に分針および時針を早送り駆動して時刻修正を行わせる。
【発明の効果】
【００１０】
本発明によれば、指針による表示時刻の修正を行う場合に、煩雑な操作を行うことなく時刻修正を行うことができる電波修正時計を提供することができる。
【発明を実施するための最良の形態】
【００１１】
本発明の実施形態に係る電波修正時計は、例えば、時針位置に基づいて時針位置情報を生成する時針位置情報生成手段を設け、手動により分針を正時位置に設定した状態で、時針位置情報生成手段が生成した時針位置情報により指針位置に関する情報を得て、その指針位置と、標準時刻電波信号から得られた標準時刻との差に基づいて、指針が標準時刻を示すように時刻修正を行う。
【００１２】
以下、図面を参照しながら、本発明に係る電波修正時計の一実施形態を説明する。
【００１３】
本発明の第１実施形態に係る電波修正時計は、１つの駆動用モータにより、秒針、分針、および時針を駆動する。
図１は本発明に係る電波修正時計の第１実施形態の電気的な機能ブロック図である。図２は図１に示した電波修正時計の全体構成図、図３は図２に示した電波修正時計の断面図、図４は図２示した電波修正時計を拡大した断面図である。
【００１４】
本実施形態に係る電波修正時計１は、図１〜４に示すように、標準電波受信系１１、操作スイッチ群１２、発振回路１３、制御回路１４、ドライブ回路１５、発光素子１６、バッファ回路１７、時針位置情報生成部１８、時計本体１００、駆動用モータ１２１、手動修正系１５０、トランジスタＱ１、および抵抗素子Ｒ１，Ｒ２を有する。
標準電波受信系１１は本発明に係る標準電波受信手段に相当し、制御回路１４は本発明に係る制御手段に相当し、時針位置情報生成部１８は本発明に係る時針位置情報生成手段に相当する。
【００１５】
標準電波受信系１１は、例えば不図示の標準電波送信所から送信された標準時刻情報（時刻コードとも言う）を含む標準電波（標準時刻電波信号とも言う）を受信し、所定の処理を行い信号Ｓ１１として制御回路１４に出力する。
標準電波受信系１１は、例えばアンテナＡＮＴ、および長波電波受信回路（標準電波受信回路）１１０１を有する。
【００１６】
長波受信回路１１０１は、例えばアンテナＡＮＴを介して入力された標準時刻電波信号のデコードを行い、標準時刻信号を信号Ｓ１１として制御回路１４に出力する。詳細には長波受信回路１１０１は、例えば不図示のＲＦアンプ、検波回路、波形整形回路を有し、増幅処理、検波処理、波形整形処理等を行い、処理結果の標準時刻信号を信号Ｓ１１として出力する。制御回路１４は信号Ｓ１１を基に時刻修正を行う。
【００１７】
また、例えば長波受信回路１１０１は、制御回路１４から出力された、標準時刻電波信号の受信オン状態または受信オフ状態を制御させる制御信号ＣＴＬ１１に基づいて、標準時刻電波信号の受信オン状態または受信オフ状態を制御する。
【００１８】
なお、日本の標準電波は独立行政法人通信総合研究所（ＣＲＬ）のもとで運用されており、周波数４０ｋＨｚの標準電波を送信する標準電波送信所および周波数６０ｋＨｚの標準電波を送信する標準電波送信所が設けられている。
標準電波受信系１１で受信される標準電波は、図５（ａ）に示すような形態で送られてくる。
【００１９】
具体的には、時刻コードは１，０，Ｐの３種類の信号パターンからなり、１ｓｅｃの１信号パターン中の１００％振幅期間幅によって区別され、１，０，Ｐはそれぞれ５００ｍｓ，８００ｍｓ，２００ｍｓとなっている。変調方式は、最大値１００％，最小値１０％の振幅変調である。
【００２０】
そして、受信状態が良好な場合には、標準電波受信系１１からは図５（ｂ）に示すように、標準電波信号に応じたパルス信号として信号Ｓ１１が、制御回路１４に出力される。
【００２１】
この信号Ｓ１１は、例えば第１のレベルに相当するハイレベルと、第２のレベルに相当するロウレベルにより構成されている。制御回路１４は、ハイレベル、およびロウレベル、ならびに、ハイレベルからロウレベルへの立下りエッジｅｄ１、およびロウレベルからハイレベルへの立上がりエッジｅｄ２に基づいて受信状態の評価処理を行う。エッジｅｄ１およびエッジｅｄ２を区別しない場合には、単にエッジｅｄという。
【００２２】
次に、長波標準電波の送信データについて説明する。
標準時刻電波信号の時刻コードは、の一例を示している。図６（ａ）は毎時１５，４５分以外のフォーマット、図６（ｂ）は、毎時１５分，４５分のフォーマットを示す。
送信情報は、分・時・１月１日からの積算日となっている。
時刻データの送信は、１ｂｉｔ／秒で１分間を１フレームとしており、このフレーム内に前述した分・時・１月１日からの積算日の情報がＢＣＤコードで提供されている。また送信されるデータは、０・１の他にＰコードというマーカーが含まれており、このＰコードは、１フレームに数カ所あり、正分（０秒）、９秒、１９秒、２９秒、３９秒、４９秒、５９秒に現れる。このＰコードが続けて現れるのは１フレーム中１回で５９秒、０秒の時だけで、この続けて現れる位置が正分位置となる。つまり分・時データ等の時刻データはこの正分位置を基準としてフレーム中の位置が決まっているためこの正分位置の検出を行わないと時刻データを取り出すことはできない。
【００２３】
操作スイッチ群１２は、例えば時刻修正を行う際に操作され、操作に応じた信号を制御回路１４に出力する。
例えば操作スイッチ群１２は、時刻修正スイッチ１２０１、リセットスイッチ１２０２、およびキャパシタＣ１２３，１２４を有する。
【００２４】
時刻修正スイッチ１２０１は、例えば、手動により指針位置を修正する場合に操作され操作に応じて信号Ｓ１２０１を制御回路１４に出力する。制御回路１４は、時刻修正スイッチ１２０１から信号Ｓ１２０１が入力されると、例えば駆動用モータ１２１の駆動を停止させ、例えば手動により指針位置を修正可能な状態に設定する。
【００２５】
リセットスイッチ１２０２は、例えば、標準時刻電波信号、および、時針位置情報生成部１８による時針位置情報に基づいて、指針を早送り駆動して時刻修正を行う際に操作され、操作に応じて信号Ｓ１２０２を制御回路１４に出力する。制御回路１４は、リセットスイッチ１２０２が操作されると、標準電波受信系１１で受信された標準時刻電波信号、および、分針が正時位置に設定された状態で、時針位置情報生成部１８により生成された時針位置情報に基づいて、駆動用モータ１２１に指針を早送り駆動させて時刻修正を行う。
【００２６】
発振回路１３は、水晶発振器ＣＲＹおよびキャパシタＣ２，Ｃ３により構成され、所定周波数のクロック信号Ｓ１３を制御回路１４に供給する。
【００２７】
制御回路１４は、例えば、内部時計１４０１、およびメモリ１４０２を有する。
内部時計１４０１は、制御回路１４の内部時計１４０１は、クロック信号Ｓ１３に基づいて時刻情報を計時する。
内部時計１４０１は、例えば年情報カウンタ、月情報カウンタ、日情報カウンタ、曜情報カウンタ、時情報を計時する時カウンタ、分情報を計時する分カウンタ、および秒情報を計時する秒カウンタ等を含む。
【００２８】
メモリ１４０２は、例えば、制御回路１４のワークスペースとして用いられる。例えば、メモリ１４０２はＲＡＭ（Random Access Memory）やＲＯＭ（Read Only Memory）等で構成される。
メモリ１４０２は、例えば、本発明に係る処理を行わせる機能を含むプログラムや、パラメータ等を記憶する。例えば制御回路１４はプログラムを実行することにより本発明に係る処理を行う。また、制御回路１４はハードワイヤドにより本発明に係る処理を実行してもよい。
【００２９】
制御回路１４は、駆動用モータ１２１または後述する手動修正系１５０により分針が正時位置に設定された状態で、時針位置情報生成部１８が生成した時針位置情報、および標準電波受信系１１が受信した標準電波信号に基づいて、駆動用モータ１２１に指針を早送り駆動して時刻修正を行わせる。
以下、詳細に、制御回路１４の機能を説明する。
【００３０】
制御回路１４は、例えば時刻修正スイッチ１２０１が操作された場合には、駆動用モータ１２１に印加するパルス信号ＣＴＬ１を停止し、秒針を停止させる。例えばユーザは、秒針が００秒に対応する位置を示した時に、時刻修正スイッチ１２０１を操作する。こうすることで、秒針を００秒に停止させる。
【００３１】
制御回路１４は、リセットスイッチ１２０２が操作された場合には、時針位置情報生成部１８としてのコード板１８０１および回路基板１８０２により指針位置を検出する。
【００３２】
また、制御回路１４は、リセットスイッチ１２０２が操作された場合には、標準電波受信系１１に、標準時刻電波信号を受信させる信号ＣＴＬ１１を出力する。標準電波受信系１１では、その信号ＣＴＬ１１を受けて標準時刻電波信号を受信し、信号Ｓ１１として制御回路１４に出力する。
【００３３】
制御回路１４では、信号Ｓ１８に基づいて検出された指針位置、および標準時刻電波信号に基づいて、駆動用モータ１２１を駆動させて、指針位置を標準時刻に設定する。
【００３４】
以下、制御回路１４の受信に係る動作を説明する。
制御回路１４は、所定の時間、例えば本実施形態では８秒間の標準時刻電波信号のサンプリング（例えば３２Ｈｚ）を行い、そのサンプリングの結果に基づいて受信状態を判定する。
詳細には、制御回路１４は、例えば標準電波受信系１１から入力される信号Ｓ１１のサンプリング（例えば３２Ｈｚ）を行い、エッジｅｄを検出し、そのエッジｅｄの有無や数に基いて受信状態を判定する。
【００３５】
制御回路１４は、その設定された受信周波数で受信された標準電波時刻信号に基いて、時刻化が可能である場合には、発振回路１３による基本クロックに基づいて内部時計１４０１の各種カウンタのカウント制御を行う。
【００３６】
制御回路１４は、受信状態が基準範囲にない場合には、制御信号ＣＴＬ１を出力せずに、ドライブ信号ＤＲ１をドライブ回路１５に出力して、報知手段としての発光素子１６を発光させてユーザに標準電波信号がほとんど受信できない旨を報知させる。
【００３７】
制御回路１４は、標準電波受信系１１で受信した標準時刻電波信号に基づいて、内部時計１４０１の各種時刻カウンタで計時されている計時時刻と標準時刻情報とを比較し、誤差が生じている場合には、その誤差に応じて時刻カウンタを修正し、その修正に応じてモータ１２１に制御信号ＣＴＬ１として、修正のためのパルス信号Ｐを入力して早送り駆動等を行い、指針による時刻表示の修正を行う。
【００３８】
次に、電波修正時計のムーブメントの具体的な構成について、図２〜４に関連付けて説明する。
時計本体１００は、互いに対向して接続されて輪郭を形成する下ケース１１１および上ケース１１２と、この下ケース１１１および上ケース１１２で形成される空間内のほぼ中央部において下ケース１１１と連結した状態で配置される中板１１３とを備えており、空間内の下ケース１１１、中板１１３、上ケース１１２の所定の位置に対して、指針駆動系１２０および手動修正系１５０等が固定あるいは軸支されている。
【００３９】
指針駆動系１２０は、図４に示すように、略コ字状のステータ１２１ａ、このステータ１２１ａの一方側の脚片に巻回された（図示省略した）駆動コイル１２１ｂ、このステータ１２１ａの他方の磁極間において回動自在に配置された（図示省略した）ロータ１２１ｃにより構成された駆動用モータ１２１と、ロータ１２１ｃのピニオン１２１ｄに大径歯車１２２ａが噛合した５番車１２２と、この５番車１２２の小径歯車１２２ｂに大径歯車１２４ａが噛合した秒針車１２４（２点鎖線）と、この秒針車１２４の小径歯車１２４ｂ（実線部分）に大径歯車１２５ａが噛合した３番車１２５と、この３番車１２５の小径歯車１２５ｂに大径歯車１２６ａが噛合した分針車１２６と、この分針車１２６の小径歯車１２６ｂに大径歯車１２７ａが噛合した日の裏車１２７と、この日の裏車１２７の小径車１２７ｂに大径歯車１２８ａが噛合した時針車１２８とにより構成されている。
図４においては、秒針車１２４を説明しやすいように位置をずらして、実線部分と２点鎖線部分で図示している。
【００４０】
ここで、駆動用モータ１２１は、ステータ１２１ａが中板１１３に載置して固定され、ロータ１２１ｃが中板１１３と上ケース１１２とに軸支されており、制御回路１４の出力制御信号ＣＴＬ１に基づいて、その回転方向、回転角度、および回転速度が制御される。
【００４１】
手動修正系１５０は、図４に示すように、上述の分針車１２６の小径歯車１２６ｂおよび時針車１２８の大径歯車１２８ａに噛合する日の裏車１２７と、この日の裏車１２７の大径歯車１２７ａに噛合する歯車１５１ａを有する手動修正軸１５１とにより構成されている。この手動修正軸１５１は、上ケース１１２の外側に位置付けられて利用者が直接指を触れることのできる頭部１５１ｂと、この頭部１５１ｂから伸びて上ケース１１２に形成された開口１１２ｅを貫挿し下ケース１１１に形成された突部１１１ｅに対して軸支された柱状部１５１ｃとからなり、この柱状部１５１ｃの下方領域に歯車１５１ａが形成されている。
【００４２】
手動修正軸１５１は、分針車１３４と同位相で回転するように構成されており、上述の駆動系１２０により分針車１２６が駆動されているときには日の裏車１２７を介して分針車１２６と同位相で回転すると共に、駆動系１２０の非作動時には、頭部１５１ｂを指で回転させることにより、指針位置を手動修正できるようになっている。
【００４３】
上記のように、秒針車１２４の秒針軸１２４ｃが分針車１２６の分針パイプ１２６ｐに挿通され、分針車１２６の分針パイプ１２６ｐが時針車１２８の時針パイプ１２８ｐに挿通されていることから、秒針車１２４と、分針車１２６と、時針車１２８とは、それぞれの回転中心軸が共通しており、また、時刻表示の際に、秒針が６０秒間に１回転、分針が６０分間に１回転、時針が１２時間に１回転するように駆動される。
【００４４】
また、図２，３に示すように、時計本体部１００は、筐体部１０００の中央部に設けられている。
図２，３に示すように、中間車１２９には時針パイプ１２８ｐが、回転中心軸を共通に挿通されている。中間車１２９の大径歯車１２９ａに歯車１３０ａが噛合する時打車１３０が設けられている。時打車１３０は、筐体部１０００に設けられた回転中心軸１３０ｒを中心に回転可能である。
時打車１３０は、本発明に係る時針と連動して回転する歯車に相当する。
本実施形態では、時打車１３０は、時針車１２８と回転比１で回転可能に設けられている。
【００４５】
時針位置情報生成部１８は、例えば時針位置に基づいて時針位置を示す時針位置情報のみを生成する。
具体的には、時針位置情報生成部１８は、例えば、上述した時打車１３０、コード板１８０１、および回路基板１８０２を有する。回路基板１８０２は、本発明に係る時打車の回転角度、つまり時針と連動する時針車の回転角度に応じた検出パターンを形成可能な検出基板に相当する。時針位置情報生成部１８は、回路基板１８０２が検出した検出パターンに基づいて時針位置情報を生成する。
以下、詳細に説明する。
【００４６】
時打車１３０の側面にはコード板１８０１が設けられている。筐体部１０００の中央平面部１０００ａと平行に回路基板１８０２が設けられ、回路基板１８０２と時打車１３０の間にコード板１８０１が形成されている。また、回路基板１８０２の外側には、回路基板１８０２と略平行に保護板１００１が形成されている。
【００４７】
図７は、図２に示した時打車１３０に設けられたコード板１８０１の一具体例の全体構成図である。
コード板１８０１は、例えば図７に示すように、回路基板１８０２と接触する凸部１８０１１〜１８０１５が設けられている。
【００４８】
図８は、図２に示した回路基板の全体構成図である。
回路基板１８０２の表面には、例えば図８に示すように、導電体で形成された回転角度検出のためのパターンｐ１８０２が形成されている。
【００４９】
詳細には、例えば回路基板１８０２の表面には、パターンｐ１８０２１〜ｐ１８０２５が形成されている。例えば、パターンｐ１８０２１は凸部１８０１３と常に接触し、パターンｐ１８０２２は凸部１８０１４と接触可能であり、パターンｐ１８０２３は凸部１８０１２と接触可能であり、パターンｐ１８０２４は凸部１８０１５と接触可能であり、パターンｐ１８０２５は凸部１８０１１と接触可能である。
また、パターンｐ１８０２２〜ｐ１８０２５の一端Ｔ１８０２は制御回路１４に接続されている。
パターンｐ１８０２１は、基準電位ＧＮＤに接続されている。
【００５０】
図９は、図２に示した回路基板およびコード板の拡大図である。
時打車１３０に設けられたコード板１８０１の回転中心軸ｃｎｔ１は、回路基板１８０２の中央部ｃｎｔ２を通るように形成され、時打車１３０が回転することによりコード板１８０１が回転し、凸部１８０１１〜凸部１８０１５それぞれが、パターンｐ１８０２１〜ｐ１８０２５と非接触または接触する。非接触および接触することにより、パターンｐ１８０２１〜ｐ１８０２５間を非導通状態または導通状態を設定する。この非導通状態または導通状態が設定された状態により検出パターンが形成される。
【００５１】
制御回路１４は、パターンｐ１８０２２〜ｐ１８０２５それぞれの電圧を測定することにより、時打車１３０の回転角度を検出することができる。つまり、制御回路１４は、パターンｐ１８０２２〜ｐ１８０２５それぞれの電圧を測定することにより、時針位置を検出することができる。
【００５２】
本実施形態では、時打車１３０の１回転（３６０度）を１２分割し、角度３０度毎に異なる信号パターンが制御回路１４により検出される。上述したように時打車１３０は時針車１２８と回転比１で回転可能に設けられている。時針車１２８に連動する時針位置が正時位置、例えば０時、１時、…、１１時に位置する場合に、それぞれの時針位置に対応する信号パターンが、制御回路１４により検出される。制御回路１４は、この信号パターンから時針位置を検出する。
【００５３】
図１０は、図１に示した電波修正時計の時刻修正に係る動作を説明するためのフローチャートである。電波修正時計１の時刻修正に係る動作を、図１０を参照しながら、制御回路１４の動作を中心に説明する。
【００５４】
通常時には、制御回路１４は、内部時計１４０１が計時する時刻情報に基づいて、駆動用モータ１２１に駆動用パルス信号ＣＴＬ１を印加して、輪列を駆動し、秒針、分針、および時針を駆動する。
【００５５】
時刻修正を行う場合には、例えばユーザにより修正スイッチ１２１、手動修正系１５０、およびリセットスイッチ１２２が操作され、その操作に応じて時刻修正を行う。
【００５６】
ステップＳＴ１において、制御回路１４では、例えば時刻修正スイッチ１２０１が操作され、オン状態を示す信号Ｓ１２０１が受信されたか否かが判別され、受信されたと判別した場合には、駆動用モータ１２１に印加するパルス信号ＣＴＬ１を停止し、秒針を停止させる（ＳＴ２）。
例えばユーザは、秒針が００秒に対応する位置を示した時に、時刻修正スイッチ１２０１を操作する。こうすることで、秒針を００秒に停止させる。
【００５７】
ステップＳＴ３において、その秒針が停止した状態で、例えばユーザにより手動修正系１５０が操作される。手動修正系１５０はその操作に応じて分針位置および時針位置を設定し、ステップＳＴ４に進む。
この際、ユーザは、例えば指針が現在の時刻として１０時１０分を示す場合には、手動修正系１５０を操作して、分針を正時の位置、例えば９時００分や８時００分に設定する。
本実施形態では、例えば指針を早送り動作により時刻修正するために、現在時刻よりも前の正時位置、例えば９時００分や８時００分に設定することが好ましい。こうすることにより、少ない駆動時間で時刻修正を行うことができる。
【００５８】
一方、ステップＳＴ１において、修正スイッチ１２０１が操作されていないと判別された場合には、ステップＳＴ４の処理に進む。
【００５９】
ステップＳＴ４において、制御回路１４では、リセットスイッチが操作され、オン状態を示す信号Ｓ１２０２が受信されたか否かが判別され、受信されたと判別した場合には、時針位置情報生成部１８としてのコード板１８０１および回路基板１８０２により、指針位置を検出する。
詳細には、制御回路１４は、時針と連動する時針車１２８と、中間車１２９を介して回転比１で回転する時打車１３０に形成されたコード板１８０１と、回路基板１８０２に形成されたパターンｐ１８０２１〜ｐ１８０２５との接触により、検出される信号Ｓ１８により、回転角度が検出される（ＳＴ５）。
つまり、制御回路１４では、信号Ｓ１８に基づいて、時針位置および分針位置が１時００分、２時００分、…、１１時００分、１２時００分のいずれかの位置であるかを検出する。
【００６０】
ステップＳＴ６において、制御回路１４は、標準電波受信系１１に、標準時刻電波信号を受信させる信号ＣＴＬ１１を出力する。標準電波受信系１１では、その信号ＣＴＬ１１を受けて標準時刻電波信号を受信し、信号Ｓ１１として制御回路１４に出力する。
【００６１】
制御回路１４では、信号Ｓ１８に基づいて検出された指針位置、および標準時刻電波信号に基づいて、駆動用モータ１２１を駆動させて、指針位置を標準時刻に設定する。
詳細には、制御回路１４は、標準時刻電波信号に基づいて、内部時計１４０１が計時する時刻情報を修正し、信号Ｓ１８に基づいて検出された指針位置、および内部時計１４０１が計時する時刻情報との差に応じた、駆動パルス信号ＣＴＬ１を、駆動用モータ１２１に印加して、早送り駆動させて、指針位置を標準時刻に設定する。ステップＳＴ１の処理に戻る。
【００６２】
以上説明したように、標準時刻電波信号を受信する標準電波受信系１１と、少なくとも分針と連動する分針車１２６、および時針と連動する時針車１２８を駆動する輪列および駆動用モータ１２１と、手動により分針位置および時針位置を修正する手動修正系１５０と、時針位置に応じた時針車１２８の回転角度および時針車１２８と連動する時打車１３０の回転角度に基づいて、時針位置情報のみを生成する時針位置情報生成部１８と、駆動用モータ１２１または手動修正系１５０により分針が正時位置に設定された状態で、時針位置情報生成部１８が生成した時針位置情報、および標準電波受信系１１が受信した標準電波信号に基づいて、駆動用モータ１２１に秒針、分針、および時針を早送り駆動して時刻修正を行わせる制御回路１４とを設けたので、指針による表示時刻の修正を行う場合に、煩雑な操作を行うことなく、時刻修正を行うことができる。
【００６３】
また、時打車１３０と時針車１２８が回転比１で駆動することにより、原点位置決めを指針合わせの修正のみで可能である。
また、１時００分、２時００分、…、１２時００分に時針および分針を設定し、その指針位置から標準時刻電波信号に基づいて、時刻修正を行うことができるので、例えば、時刻情報を手動で入力する電波修正時計や、０時００分のみを原点位置として設定し、その位置から時刻修正する電波修正時計と比べて、簡単な操作で、短時間で時刻修正を行うことができる。
【００６４】
また、指針位置を、透過部や遮光部が設けられた輪列や光センサ等を設ける必要がなく、コストを抑えることができる。
【００６５】
また、時針位置情報生成手段は、前記時針車１２８と連動する時打車１３０と、時打車１３０の歯車の回転角度に基づいて時針位置情報を生成するコード板１８０１および、回路パターンが形成された回路基板１８０２とを設けたので、簡単な構成で指針位置を検出することができる。
【００６６】
図１１は、本発明に係る電波修正時計の第２実施形態に係る電気的な機能ブロック図である。
第２実施形態に係る電波修正時計１ａと第１実施形態に係る電波修正時計１との相違点は、分針位置検出部１９を設けた点である。
【００６７】
分針位置検出部１９は、分針の正時位置を検出し、検出結果を信号Ｓ１９として、制御回路１４に出力する。
例えば分針位置検出部１９は、分針が正時位置、００分に位置した場合に信号Ｓ１９として、制御回路１４に出力する。
【００６８】
制御回路１４は、分針位置検出部１９が正時位置を検出した場合に、時針位置検出部１８が検出した時針位置情報、および標準時刻電波信号に基づいて、駆動用モータ１２１に指針を早送り駆動させて時刻修正を行わせる。
【００６９】
図１２は図１１に示した電波修正時計の全体構成図、図１３は図１２に示した電波修正時計の断面図、図１４は図１２に示した電波修正時計を拡大した断面図である。図１５は、図１２に示した分針位置検出部１９の一具体例の構成図である。
第１実施形態に係る電波修正時計１と同じ構成要素には同じ符号を付して説明を省略し、相違点のみ説明する。
【００７０】
分針位置検出部１９は、例えば図１２〜図１５に示すように、スイッチ１９０、および固定部１９０１が形成されている。
スイッチ１９０は、例えば図１５に示すように、端子１９１および端子１９２が固定部１９０１により固定されている。端子１９１，１９２は、制御回路１４に接続されている。
【００７１】
スイッチ１９０は、接点１９ａと接点１９ｂが接続して、端子１９１と端子１９２が導通状態に設定される。通常時には、接点１９ａと接点１９ｂは離れた状態に設けられ、端子１９１と端子１９２は非導通状態である。
分針車１２６には、凸部１２６ｄおよび凹部１２６ｅが形成された略円形状部１２６が設けられている。
【００７２】
図１６は、図１５に示した分針位置検出部１９のスイッチ１９０の動作を説明するための図である。
図１６に示すように、例えば分針車１２６が図に向かって右回りに回転することにより、凸部１２６と接点１９ａが接触し、位置１９ａ１に接点１９ａを反らせる。さらに分針車１２６が右回りに回転することにより、接点１９ａが反りの反動で、接点１９ｂに接触し、端子１９１と端子１９２が一瞬、導通状態になり、その後、接点１９ａと接点１９ｂが通常時の離れた状態に戻り、端子１９１と端子１９２が非導通状態になる。
【００７３】
本実施形態では、分針が正時に位置するときに、端子１９１と端子１９２が導通状態になるように、スイッチ１９０、凸部１２６ｄ等が形成されている。
【００７４】
図１７は、図１１に示した電波修正時計の時刻修正に係る動作を説明するためのフローチャートである。電波修正時計１ａの時刻修正に係る動作を、図１７を参照しながら、制御回路１４の動作を中心に、図１０に示した第１実施形態に係る電波修正時計の動作との相違点を説明する。
【００７５】
通常時には、制御回路１４は、内部時計１４０１が計時する時刻情報に基づいて、駆動用モータ１２１に駆動用パルス信号ＣＴＬ１を印加して、輪列を駆動し、秒針、分針、および時針を駆動する。
【００７６】
時刻修正を行う場合には、例えばユーザにより修正スイッチ１２１、手動修正系１５０、およびリセットスイッチ１２２が操作され、その操作に応じて時刻修正を行う。
【００７７】
ステップＳＴ１において、制御回路１４では、例えば時刻修正スイッチ１２０１が操作され、オン状態を示す信号Ｓ１２０１が受信されたか否かが判別され、受信されたと判別した場合には、駆動用モータ１２１に印加するパルス信号ＣＴＬ１を停止し、秒針を停止させる（ＳＴ２）。
例えばユーザは、秒針が００秒に対応する位置を示した時に、時刻修正スイッチ１２０１を操作する。こうすることで、秒針を００秒に停止させる。
【００７８】
ステップＳＴ３１において、その秒針が停止した状態で、例えばユーザにより手動修正系１５０が操作される。手動修正系１５０はその操作に応じて分針位置および時針位置を設定し、ステップＳＴ３２に進む。
この際、ユーザは、例えば指針が現在の時刻として１０時１０分を示す場合には、手動修正系１５０を操作して、分針を正時の位置、例えば９時００分や８時００分に設定する。
【００７９】
ステップＳＴ３２において、制御回路１４は、分針位置検出部１９により分針が正時を示す位置、００分に位置したことを示す信号Ｓ１９を受信したか否かが判別され、分針が正時を示す位置になるまでステップＳＴ３１の処理に戻る。
【００８０】
一方、ステップＳＴ３２の判別において、制御回路１４は、分針が正時を示す位置、００分に位置したことを示す信号Ｓ１９を受信したと判別した場合には、時針位置情報生成部１８としてのコード板１８０１および回路基板１８０２により、指針位置を検出する。詳細には、制御回路１４は、時針位置情報生成部１８が生成する時針位置情報に基づいて、時針位置および分針位置を検出し（ＳＴ３３）、ステップＳＴ４の処理に進む。
【００８１】
一方、ステップＳＴ１において、修正スイッチ１２０１が操作されていないと判別された場合には、ステップＳＴ４の処理に進む。
【００８２】
ステップＳＴ４において、制御回路１４では、リセットスイッチが操作され、オン状態を示す信号Ｓ１２０２が受信されたか否かが判別され、受信されたと判別した場合には、制御回路１４は、標準電波受信系１１に、標準時刻電波信号を受信させる信号ＣＴＬ１１を出力する。標準電波受信系１１では、その信号ＣＴＬ１１を受けて標準時刻電波信号を受信し（ＳＴ６）、信号Ｓ１１として制御回路１４に出力する。
【００８３】
制御回路１４では、信号Ｓ１８に基づいて検出された指針位置、および標準時刻電波信号に基づいて、駆動用モータ１２１を駆動させて、指針位置を標準時刻に設定する。
詳細には、制御回路１４は、標準時刻電波信号に基づいて、内部時計１４０１が計時する時刻情報を修正し、信号Ｓ１８に基づいて検出された指針位置、および内部時計１４０１が計時する時刻情報との差に応じた、駆動パルス信号ＣＴＬ１を、駆動用モータ１２１に印加して、早送り駆動させて、指針位置を標準時刻に設定する（ＳＴ７）。ステップＳＴ１の処理に戻る。
【００８４】
以上説明したように、本実施形態では、分針の正時位置を検出する分針位置検出部１９と、その検出結果を受けて、時針位置情報生成部１８が生成した時針位置情報、および標準時刻電波信号に基づいて、駆動用モータ１２１に指針を早送り駆動させて時刻修正を行わせる制御回路１４とを設けたので、分針位置が正時を示す位置に設定された場合に、制御回路１４が時針位置および分針位置に関する情報を得るので、より簡単な操作で時刻修正を行うことができる。
【００８５】
なお、本発明は本実施形態に限られるものではなく、任意好適な種々の変更が可能である。
例えば、分針位置検出部１９が、分針が正時を示す位置、００分を示すことを検出した場合に、標準時刻電波信号を受信し、標準時刻電波信号、および時針位置情報生成部１８が生成した時針位置情報に基づいて時刻修正を行うように制御回路１４を設ければ、より高速に時刻修正を行うことができる。
【００８６】
例えば、修正スイッチを操作せずに、ユーザは手動修正系１５０を操作することにより指針を正時位置に設定し、リセットスイッチを秒針が００秒を示す位置で、操作することにより秒針を停止させてもよい。
例えば、分針が標準時刻からずれた場合であっても、分スリップにより後で手動により微調整可能である。
【図面の簡単な説明】
【００８７】
【図１】本発明に係る電波修正時計の第１実施形態の電気的な機能ブロック図である。
【図２】図１に示した電波修正時計の全体構成図である。
【図３】図２に示した電波修正時計の断面図である。
【図４】図２示した電波修正時計を拡大した断面図である。
【図５】本発明に係る制御回路における電波受信状態を説明するための図である。
【図６】標準時刻電波信号の時刻コードの一例を示している。（ａ）は毎時１５，４５分以外のフォーマット、（ｂ）は毎時１５分，４５分のフォーマットを示す。
【図７】図２に示した時打車１３０に設けられたコード板１８０１の一具体例の全体構成図である。
【図８】図２に示した回路基板の全体構成図である。
【図９】図２に示した回路基板およびコード板の拡大図である。
【図１０】図１に示した電波修正時計の時刻修正に係る動作を説明するためのフローチャートである。
【図１１】本発明に係る電波修正時計の第２実施形態に係る電気的な機能ブロック図である。
【図１２】図１１に示した電波修正時計の全体構成図である。
【図１３】図１２に示した電波修正時計の断面図である。
【図１４】図１２に示した電波修正時計を拡大した断面図である。
【図１５】図１２に示した分針位置検出部１９の一具体例の構成図である。
【図１６】図１５に示した分針位置検出部１９のスイッチ１９０の動作を説明するための図である。
【図１７】図１１に示した電波修正時計の時刻修正に係る動作を説明するためのフローチャートである。
【符号の説明】
【００８８】
１…電波修正時計、１１…標準電波受信系、１２…操作スイッチ群、１３…発振回路、１４…制御回路、１５…ドライブ回路、１６…発光素子、１７…バッファ回路、１８…時針位置情報生成部、１９…分針位置検出部、１００…時計本体部（機械機構：ムーブメント）、１１１…下ケース、１１２…上ケース、１１３…中板、１２１…駆動用モータ、１２２…５番車、１２４…秒針車、１２５…３番車、１２６…分針車、１２７…日の裏車、１２８…時針車、１５０…手動修正系、１１０１…長波受信回路、１２０１…時刻修正スイッチ、１２０２…リセットスイッチ、１４０１…内部時計、１４０２…メモリ、１０００…筐体部、１８０１…コード板、１８０２…回路基板。
【図１】
2005098881.tif 000003
【図２】
2005098881.tif 000004
【図３】
2005098881.tif 000005
【図４】
2005098881.tif 000006
【図５】
2005098881.tif 000007
【図６】
2005098881.tif 000008
【図７】
2005098881.tif 000009
【図８】
2005098881.tif 000010
【図９】
2005098881.tif 000011
【図１０】
2005098881.tif 000012
【図１１】
2005098881.tif 000013
【図１２】
2005098881.tif 000014
【図１３】
2005098881.tif 000015
【図１４】
2005098881.tif 000016
【図１５】
2005098881.tif 000017
【図１６】
2005098881.tif 000018
【図１７】
2005098881.tif 000019